(57)【要約】【課題】撮像装置の表示面によって表示される画像が９０度回転している場合であっても、表示面の画像が正しい位置となるように表示させる。【解決手段】窓２４に、撮像装置１００の表示面１０６の画像Ｇが表示されると、この窓２４部分に表示される画像Ｇは、第１ミラー３０の反射面で反射されることで鏡像Ｇ１となる。第１ミラー３０で反射され鏡像となった画像Ｇ１は、第２ミラー３２の反射面で反射されることで前記画像Ｇに対して９０度回転した画像Ｇ２となって後方に導かれる。したがって、画像表示部２６の後方から第２ミラー３２の反射面を見ることで、表示面１０６の画像Ｇを正立した状態で画像を視認することができる。【選択図】        図５
2006171056.tif 000002
【特許請求の範囲】
【請求項１】
左右の側面を有するカバー本体を備え、
前記左右の側面の少なくとも一方の側面の部分は透明な材料で形成され、
前記透明な材料で形成された側面の部分に、該部分に表示される画像を９０度回転させ後方に向けて表示する画像表示部が設けられている、
ことを特徴とする撮像装置用防水カバー。
【請求項２】
前記画像表示部は前記カバー本体の側面に取り付けられた支持部材と、前記支持部材に保持された２枚のミラーとを含んで構成されていることを特徴とする請求項１記載の撮像装置用防水カバー。
【請求項３】
前記画像表示部は前記カバー本体の側面に取り付けられた支持部材と、前記支持部材に保持された２枚のミラーとを含んで構成され、一方のミラーは前記透明な材料で形成された側面の部分に臨ませて配置され、他方のミラーは、前記一方のミラーに臨むとともに後方に臨ませて配置されていることを特徴とする請求項１記載の撮像装置用防水カバー。
【請求項４】
前記画像表示部は前記カバー本体の側面に取り付けられた支持部材と、前記支持部材に保持された２枚のミラーとを含んで構成され、前記画像表示部は、使用時に、前記支持部材および２枚のミラーが前記側面から外方に突出した使用状態となり、非使用時に、前記支持部材および２枚のミラーが前記側面上に扁平に折り畳まれる収納状態となるように構成されていることを特徴とする請求項１記載の撮像装置用防水カバー。
【請求項５】
前記支持部材は、一方のミラーを保持する第１ミラーカバーと、他方のミラーを保持する第２ミラーカバーとを含んで構成されていることを特徴とする請求項２記載の撮像装置用防水カバー。
【発明の詳細な説明】
【技術分野】
【０００１】
本発明は撮像装置用防水カバーに関する。
【背景技術】
【０００２】
デジタルビデオカメラなどの撮像装置を雨天や水中などの環境で使用するために、撮像装置を水密に収容する撮像装置用防水カバーがある。
このような撮像装置用防水カバーとして、撮像装置の側面に設けられたディスプレイの表示面に表示された画像を後方に反射させる単一のミラーを設け、後方にいる撮影者がミラーを介して表示面の画像を視認できるようにしたものが提案されている（特許文献１）。
この防水カバーでは、ディスプレイの表示面に鏡像となった画像を表示させ、この画像を単一のミラーで反射させることで正規の位置に位置した状態の画像を視認できるようにしている。
【特許文献１】特許第３３９３３２０号
【発明の開示】
【発明が解決しようとする課題】
【０００３】
ところで、撮像装置の小型化に伴い、撮像装置のディスプレイをその表示面の長手方向が上下方向に合致させた状態で、すなわち、ディスプレイを縦長の状態で撮像装置の側面に重ね合わせるようにしたものがある。
このような撮像装置では、表示面に表示される画像は正立した位置から９０度回転した倒伏状態となる。仮にこのような表示面を有する撮像装置を従来の防水カバーに収容すると、表示面に表示された画像は９０度回転した倒伏状態で視認されることになり、表示面の画像が正しく表示できないという問題がある。
本発明はこのような事情に鑑みなされたもので、その目的は撮像装置の表示面によって表示される画像が正立した位置から９０度回転している場合であっても、表示面の画像が正規の位置となるように表示させて使い勝手を向上させる上で有利な撮像装置用防水カバーを提供することにある。
【課題を解決するための手段】
【０００４】
上述の目的を達成するため、本発明の撮像装置用防水カバーは、左右の側面を有するカバー本体を備え、前記左右の側面の少なくとも一方の側面の部分は透明な材料で形成され、前記透明な材料で形成された側面の部分に、該部分に表示される画像を９０度回転させ後方に向けて表示する画像表示部が設けられていることを特徴とする。
【発明の効果】
【０００５】
そのため、本発明によれば、画像表示部を見ることにより透明な材料で形成された側面の部分に表示された画像を正立した状態で視認することができる。
したがって、撮像装置の表示面によって表示される画像が正規の位置から９０度回転している場合であっても、その画像を正規の位置に位置した状態でユーザに表示させることができ、撮像装置用防水カバーの使い勝手を向上させる上で有利となる。
【発明を実施するための最良の形態】
【０００６】
左右の側面を有するカバー本体の側面の部分に、該部分に表示される画像を９０度回転させ後方に向けて表示する画像表示部を設けることによって前記目的を実現した。
【実施例１】
【０００７】
次に本発明の実施例１について図面を参照して説明する。
図１（Ａ）、（Ｂ）は実施例１の撮像装置用防水カバー１０に収容される撮像装置１００の斜視図、図２、図３は撮像装置用防水カバー１０の斜視図、図４は撮像装置用防水カバー１０に撮像装置１００を収容する説明図、図５は画像表示部２６の原理を示す説明、図６〜図９は画像表示部２６の説明図である。
【０００８】
まず、撮像装置用防水カバー１０に収容される撮像装置１００について説明する。
図１に示すように、撮像装置１００はデジタルビデオカメラであって、外装を構成する本体１０２を有し、本体１０２は、左右方向の幅と、幅よりも大きい寸法の前後方向の長さと、長さよりも大きい寸法の上下方向の高さとを有している。
なお、本明細書において撮像装置１００および撮像装置用防水カバー１０の左右は、撮像装置１００および撮像装置用防水カバー１０を後方（被写体と反対側）から見た状態でいうものとする。
本体１０２は前方に臨む前壁１０２Ａ、後方に臨む後壁１０２Ｂ、上方に臨む上壁１０２Ｃ、下方に臨む下壁１０２Ｄ、左右側方に臨む左右の側壁１０２Ｅ、１０２Ｆを有している。
本体１０２の上部には鏡筒１０が組み込まれ、鏡筒１０の内部の後部に撮像素子（不図示）が組み込まれるとともに、鏡筒１０には被写体像を前記撮像素子に導く光学系１４が組み込まれている。
光学系１４は、ズームレンズやフォーカスレンズ、対物レンズなどを含んだ複数の光学部材で構成され、対物レンズ１４Ａは鏡筒１０の前端に臨むように配置されている。
また、図４に示すように、下壁１０２Ｄには、撮像装置用防水カバー１０へ取着するための取り付け板１１２が着脱可能に取着されるようになっており、この取り付け板１１２を介して撮像装置１００は撮像装置用防水カバー１００に取着される。
【０００９】
本体１０２の後壁１０２Ｂの上部には、撮影中の画像を視認するためのビューファインダー１０４が設けられている。
前壁１０Ａ、後壁１０２Ｂ、左右の側壁１０２Ｅ、１０２Ｆには不図示の電源スイッチ、動画撮影の開始／停止スイッチなどの操作部材が設けられている。
【００１０】
本体１０２の左側壁１０２Ｅには、前記撮像素子によって撮像された静止画および動画などの画像や文字や記号などが表示される表示面１０６を有するディスプレイ１０８が左側壁１０２Ｅに対して開閉可能に設けられている。
ディスプレイ１０８は長方形の板状を呈し、したがって、表示面１０６も長方形を呈し、ディスプレイ１０８が左側壁１０２Ｅに合わされた収納状態で、ディスプレイ１０８および表示面１０６は上下に縦長となっている。
なお、ディスプレイ１０８が左側壁１０２Ｅ上に折り畳まれた状態で、表示面１０６には、図１に示すように、表示面１０６の後辺が下となり、前辺が上となる画像が表示されるが、本発明の撮像装置用防水カバー１０を使用する際には、撮像装置１００に対して所定の操作指令を与えることで、図５に示すように、表示面１０６の後辺が上となり、前辺が下となる画像が表示されるように切り換えられる。
ディスプレイ１０８の２つの短辺のうちの上側の短辺箇所が左側壁１０２Ｅの上部に２軸のヒンジ機構１１０を介して揺動可能に連結され、これによりディスプレイ１０８は左側壁１０２Ｅに対して開閉する。
ヒンジ機構１１０は、図１（Ａ）に示すように、左側壁１０２Ｅの上部に対して前後方向に延在する第１軸線Ａの回りに揺動可能に結合された第１の部材と、前記第１の部材に対して第１軸線Ａと直交する第２軸線Ｂの回りに揺動可能に結合された第２の部材を有して構成され、この第２の部材にディスプレイ１０８が連結されている。
したがって、ディスプレイ１０８は、図１（Ａ）に示すように、ディスプレイ１０８および表示面１０６の長辺を上下方向に合致させ表示面１０６を右側方に臨ませて右の側壁１０２Ｆに重ね合わせた収納状態、あるいは、図１（Ｂ）に示すように、ディスプレイ１０８を右側方に突出させ表示面１０６を後方に臨ませた使用状態などに自由に姿勢を変更できるように構成されている。
【００１１】
図２、図３、図４に示すように、撮像装置用防水カバー１０は、撮像装置１００を収容するカバー本体１２を備え、カバー本体１２に画像表示部２６が設けられている。
カバー本体１２は、撮像装置１００の後部を収容する後部カバー１４と、撮像装置１００の前部を収容する前部カバー１６とにより構成されている。
後部カバー１４は、矩形状の背面１４０２と、この背面１４０２の４辺から前方に延在する上面１４０４、下面１４０６、左右の側面１４０８，１４１０を有し、前端に開口１４１２が形成されている。
前面１４０２の上部には、撮像装置１００のビューファインダー１０４に対応した箇所に透明な材料で形成されたビューファインダー用の窓１４１４が設けられている。
上面１４０４には、バックル１８が係合される係合凸部１４１６が突設されている。
【００１２】
前部カバー１６は、矩形状の前面１６０２と、この前面１６０２の４辺から前方に延在する上面１６０４、下面１６０６、左右の側面１６０８，１６１０を有し、前端に開口１６１２が形成され、上面１６０４にバックル１８が設けられている。
後部カバー１４と前部カバー１６とは、図４に示すように、それらの開口１４１２，１６１２を付き合わせ、パッキン（不図示）とバックル１８を介して係脱可能に結合され、それらの内部に撮像装置１００を水密に収容するように構成されている。
前面１６０２の上部には、撮像装置１００の光学系１４の対物レンズ１４Ａに対応した箇所に透明な材料で形成された対物レンズ用の窓１６１４が設けられている。
右側面１６１０の後方寄りで上下方向の中間箇所と右側面１６１０の前方寄りで下方寄りの箇所とには、撮像装置用防水カバー１０を把持しやすくするためのストラップ２０の両端がそれぞれ連結されている。
右側面１６１０の上部には操作部２２が設けられており、この操作部２２を操作することで撮像装置用防水カバー１０に収容された撮像装置１００に対して電源のオンオフ、撮影の開始および停止、ズーム動作などの操作指令を与えることができるように構成されている。具体的には、操作部２２には不図示の接続ケーブルが設けられており、この接続ケーブルのコネクタを撮像装置１００のコネクタに装着することで、操作部２２の機能が有効となるように構成されている。
また、制御装置１００は、撮像装置用防水カバー１００の操作部２２の前記コネクタが撮像装置１００のコネクタに接続されると、撮像装置１００に対して前述した所定の操作指令が与えられ、図５に示すように、表示面１０６の後辺が上となり、前辺が下となる画像が表示されるように自動的に切り換えられるように構成されている。
【００１３】
図９に示すように、カバー本体１２の、撮像装置用防水カバー１０に収容される撮像装置１００の表示面１０６に対応する箇所、本実施例では前部カバー１６の左側壁１６０８の箇所には、透明な材料で形成された窓２４が形成されている。
この窓２４は矩形状を呈し、窓２４は前後方向に延在し上下に位置する上辺２４０２と下辺２４０４、上下方向に延在し前後に位置する前辺２４０６と後辺２４０８の４つの辺を有し、窓２４には、撮像装置１００のディスプレイ１０８の表示面１０６の画像が表示される。
画像表示部２６はこの窓２４に臨むように左側壁１６０８に設けられている。
画像表示部２６は、窓２４に表示された表示面１０６の画像を９０度回転させ後方に向けて表示するものである。
【００１４】
具体的に説明すると、図６〜図９に示すように、画像表示部２６は、左側壁１６０８に取り付けられた支持部材２８と、支持部材２８に保持された矩形板状の第１、第２ミラー３０、３２とを含んで構成されている。
支持部材２８は、第１、第２ミラーカバー３４，３６と、直角三角形板状の第１、第２フラップ３８，４０とを有している。
第１ミラー３０は第１ミラーカバー３４の内面に貼り付けられ、第２ミラー３２は第２ミラーカバー３６の内面に貼り付けられている。
【００１５】
第１ミラーカバー３４は矩形板状を呈し、その下辺が、図８、図９に示すように、窓２４の下辺２４０４近傍の左側壁１６０８箇所で前後方向に延在する軸線Ｘ回りに揺動可能に枢着されている。
第１ミラーカバー３４は、図９に示すように、第１ミラーカバー３４の上辺が窓２４から離れ第１ミラーカバー３４が開いた第１の位置と、図６に示すように、第１ミラーカバー３４の上辺が窓２４の上辺２４０２に近づき第１ミラーカバー３４が閉じた第２の位置との間で揺動する。
第１フラップ３８は、第１ミラーカバー３４が前方に臨む前縁に枢着されている。
第１フラップ３８は、図９に示すように、第１ミラーカバー３４から直角に開いた第３の位置と、第１ミラー３０の上に折り畳まれる第４の位置との間で揺動する。
第１フラップ３８は、図９に示すように、第１ミラーカバー３４が第１の位置に位置し、かつ、第１フラップ３８が第３の位置に位置した状態で、その一辺が窓２４の前辺２４０６の溝２４０７に嵌まり込み、第１ミラーカバー３４の第１の位置および第１フラップ３８の第３の位置が保持されるように構成されている。
また、第１フラップ３８は、図６に示すように、第４の位置となって第１ミラー３０の上に折り畳まれ、第１ミラーカバー３４とともに閉じられる。
【００１６】
第２ミラーカバー３６は矩形板状を呈し、図８、図９に示すように、第２ミラーカバー３８は可動部材３９を介して窓２４の前辺２４０６近傍の左側壁１６０８箇所に設けられている。
可動部材３９は、図８、図９に示すように、第２ミラーカバー３６の下辺に対応した長さを有し、可動部材３９の長さ方向の端部は、左側壁１６０８に対して、上下方向に延在する軸線Ｚ方向に沿ってスライド可能に、かつ、軸線Ｚ回りおよび軸線Ｚと直交する軸線Ｙ回りの双方に揺動可能に結合されている。
第２ミラーカバー３６の下辺は可動部材３９に取着されている。したがって、第２ミラーカバー３６は、左側壁１６０８に対して、上下方向に延在する軸線Ｚ方向に沿ってスライド可能に、かつ、軸線Ｚ回りおよび軸線Ｙ回りに揺動可能に設けられている。
画像表示部２６の使用時に、可動部材３９は最も上位に位置して窓２４の前辺２４０６の上端近傍に位置し、かつ、可動部材３９は左側壁１６０８から直角に外側に延在する第５の位置となる。そして、第２ミラーカバー３６は、第５の位置となった可動部材３９から上方に至るにつれて次第に後方に位置するように斜めに傾斜して配置される第６の位置となる。
第２フラップ４０は、第２ミラーカバー３６が第６の位置に位置した状態で、第２ミラーカバー３６の外側に位置する側縁部に枢着されている。
画像表示部２６の使用時に、第２フラップ４０は、第２ミラーカバー３６が第６の位置に位置した状態で、第２ミラーカバー３６から直角に下方に向けて延在する第７の位置となり、第７の位置では、第２フラップ４０の一辺は第１ミラーカバー３４の上縁に載置され、第２ミラーカバー３６の第６の位置が保持されように構成されている。
【００１７】
画像表示部２６は、使用時に、第１ミラーカバー３４、第１ミラー３０、第２ミラーカバー３６、第２ミラー３２が窓２４の外側方箇所に突出した状態となる。
詳細に説明すると、第１ミラーカバー３４が第１の位置とされ、第１フラップ３８が第３の位置とされ、可動部材３９が第５の位置とされ、第２ミラーカバー３６が第６の位置とされ、第２フラップ４０が第７の位置とされた使用状態となる。
この使用状態で、窓２４に、撮像装置１００の表示面１０６の画像Ｇが表示されると、この窓２４部分に表示される画像Ｇは、第１ミラー３０の反射面で反射されることで鏡像Ｇ１となる。第１ミラー３０で反射され鏡像となった画像Ｇ１は、第２ミラー３２の反射面で反射されることで前記画像Ｇに対して９０度回転した画像Ｇ２となって後方に導かれる。
したがって、画像表示部２６の後方から第２ミラー３２の反射面を見ることで、撮像装置１００の表示面１０６に表示された、後辺が上となり、前辺が下となる画像を、正立した状態で、すなわち上が上、下が下となった画像として視認することができる。
【００１８】
また、画像表示部２６は、非使用時に、左側壁１６０８上に折り畳まれ、窓２４を覆う扁平な矩形板状となる。
詳細に説明すると、使用状態において、第１ミラーカバー３４が第１の位置とされ、第１フラップ３８が第３の位置とされ、可動部材３９が第５の位置とされ、第２ミラーカバー３６が第６の位置とされ、第２フラップ４０が第７の位置となっており、この状態から、図７に示すように、第２フラップ４０が第２ミラー３２の上に折り畳まれ第２ミラーカバー３６とともに軸線Ｚ回りに揺動されて窓２４の上辺２４０２の上方で左側壁１６０８上に折り畳まれる。
そして、図７に示すように、第１フラップ３８が第１ミラー３０の上に折り畳まれ第１ミラーカバー３４とともに窓２４との間に隙間を形成した状態で窓２４上に折り畳まれる。
さらに、図６に示すように、第２フラップ４０および第２ミラーカバー３６が可動部材３９と共に軸線Ｚ方向に沿って下方にスライドされることで、第２フラップ４０および第２ミラーカバー３６が第１フラップ３８および第１ミラーカバー３４と窓２４の間の前記隙間に収納される。これにより、左側壁１６０８上に折り畳まれ、窓２４を覆う扁平な矩形板状となった画像表示部２６の収納状態が形成される。
【００１９】
本実施例によれば、画像表示部２６を使用状態とし、画像表示部２６の後方から第２ミラー３２の反射面を見ることで窓２４に表示された表示面１０６の画像Ｇを正立した状態で視認することができる。
したがって、撮像装置１００の表示面１０６によって表示される画像が正規の位置から９０度回転している場合であっても表示面１０６の画像を正規の位置に位置した状態でユーザに表示させることができ、撮像装置用防水カバー１０の使い勝手を向上させる上で有利となる。
また、画像表示部２６は、非使用時に、左側壁１６０８上に扁平な矩形状に折り畳まれる収納状態となるように構成されているので、持ち運び時に画像表示部２６を小型化でき、携帯する上で便利となる。
【００２０】
なお、本実施例では、画像表示部２６が左側壁１６０８上に扁平な矩形状に折り畳まれる収納状態となるように構成した場合について説明したが、画像表示部２６が折り畳まれない構成であってもよいことは無論のことである。
また、本実施例では、画像表示部２６を、第１ミラー３０を保持する第１ミラーカバー３４と、第１フラップ３８と、第２ミラー３２を保持する第２ミラーカバー３６と、第２フラップ４０などで構成した場合について説明したが、窓２４に表示される画像を９０度回転させ後方に向けて表示する画像表示部の構成として従来公知の様々な機構、構造が採用可能であり、実施例の構成に限定されない。
【図面の簡単な説明】
【００２１】
【図１】（Ａ）、（Ｂ）は実施例１の撮像装置用防水カバー１０に収容される撮像装置１００の斜視図である。
【図２】撮像装置用防水カバー１０の斜視図である。
【図３】撮像装置用防水カバー１０の斜視図である。
【図４】撮像装置用防水カバー１０に撮像装置１００を収容する説明図である。
【図５】画像表示部２６の原理を示す説明である。
【図６】画像表示部２６の説明図である。
【図７】画像表示部２６の説明図である。
【図８】画像表示部２６の説明図である。
【図９】画像表示部２６の説明図である。
【符号の説明】
【００２２】
１０……撮像装置用防水カバー、１２……カバー本体、２６……画像表示部。
【図１】
2006171056.tif 000003
【図２】
2006171056.tif 000004
【図３】
2006171056.tif 000005
【図４】
2006171056.tif 000006
【図５】
2006171056.tif 000007
【図６】
2006171056.tif 000008
【図７】
2006171056.tif 000009
【図８】
2006171056.tif 000010
【図９】
2006171056.tif 000011